(57)【要約】【課題】吊上げ作業中でも容易に梁床部材の傾きの調整や高さの微調整を行うことのできる吊構造建物の構築方法を提供する。【解決手段】水平部材１０を所定の高さに支持されるように構築する工程と、所定の階数範囲の最上階の梁床部材及び吊柱５０を地組する工程と、昇降装置１３０により、水平部材１０に反力を取りながら、地組した最上階の梁床部材４０及び吊柱５０を所定の高さまで上昇させる工程と、最上階の吊柱５０を水平部材４０に下方より接続する工程と、を行い、所定の階数範囲のうち最上階を除く各階を上階から下階の順序で作業対象階として、作業対象階の梁床部材４０及び吊柱５０を地組する工程と、昇降装置１３０により、水平部材１０に反力をとりながら、作業対象階の梁床部材４０及び吊柱５０を所定の高さまで上昇させる工程と、作業対象階の吊柱５０を、水平部材１０又は直上の階の梁床部材４０に下方より接続する工程と、を行う。【選択図】図２
2008280677.tif 000002
【特許請求の範囲】
【請求項１】
所定の階数範囲の各階の梁部材、梁床部材又は床部材（以下、梁部材等という）が、所定の高さに支持された主ビームから、当該梁部材等と同じ階及びこれより上階の吊柱を介して吊下された構成を有する吊構造建物を構築する方法であって、
前記主ビームを所定の高さに支持されるように構築又は設置する主ビーム構築工程と、
前記所定の階数範囲の最上階の梁部材等及び吊柱を地組する最上階地組工程と、
昇降装置により、前記主ビームに反力を取りながら、前記地組した最上階の梁部材等及び吊柱を所定の高さまで上昇させる最上階上昇工程と、
前記最上階の吊柱を前記主ビームに下方より接続する最上階梁部材等吊下工程と、を行い、
前記所定の階数範囲における最上階を除く少なくとも一部の階を上階から下階の順序で作業対象階として、
前記作業対象階の梁部材等及び吊柱を地組する梁部材等地組工程と、
昇降装置により、前記主ビームに反力をとりながら、前記作業対象階の梁部材等及び吊柱を所定の高さまで上昇させる上昇工程と、
前記作業対象階の吊柱を、前記作業対象階の直上の階の梁部材等に下方より接続する梁部材等吊下工程と、を行うことを特徴とする吊構造建物の構築方法。
【請求項２】
請求項１記載の吊構造建物の構築方法であって、
前記主ビームは、前記梁部材等の周囲に立設された支持部材により所定の高さに支持されており、
前記所定の階数範囲内の各階の前記梁部材等と前記支持部材とは、連結部材を介して接続されており、
前記梁部材等吊下工程では、さらに、前記作業対象階の梁部材等を前記連結部材を介して前記支持部材と接続することを特徴とする吊構造建物の構築方法。
【請求項３】
前記昇降装置は、前記作業対象階の梁部材等に下端が定着された吊り材と、
前記主ビームに取り付けられ、前記吊り材の上部を支持するとともに前記吊り材を昇降させることが可能な昇降機構と、で構成され、
前記上昇工程では、前記昇降機構が前記吊り材を上昇させることにより、前記作業対象階の梁部材等を上昇させることを特徴とする請求項１又は２記載の吊構造建物の構築方法。
【請求項４】
前記昇降装置は、前記主ビームに上端が定着された吊り材と、
前記作業対象階の梁部材等の下側に取り付けられ、前記吊り材を支持するとともに、前記吊り材に沿って昇降可能な昇降機構と、で構成され、
前記上昇工程では、前記昇降機構が前記吊り材に沿って上昇することにより、前記作業対象階の梁部材等を上昇させることを特徴とする請求項１又は２記載の吊構造建物の構築方法。
【請求項５】
前記梁部材等は、前記吊柱の接続された位置以外の部位に鉛直方向に並ぶように貫通孔が設けられており、
前記昇降装置は、前記吊り材が前記貫通孔を挿通するように設置されていることを特徴とする請求項３又は４記載の吊構造建物の構築方法。
【請求項６】
前記吊柱は内部に前記吊り材を挿通可能であり、
前記梁部材等の前記吊柱が接続された部位には貫通孔が設けられており、
前記昇降装置は、前記吊り材が前記吊柱の内部及び前記梁部材等の貫通孔を貫通するように設置されていることを特徴とする請求項３又は４記載の吊構造建物の構築方法。
【請求項７】
請求項１から６何れかに記載の方法により構築されたことを特徴とする吊構造建物。
【発明の詳細な説明】
【技術分野】
【０００１】
本発明は、メガフレームより複数の梁床部材を吊持されてなる吊構造建物の構築方法に関する。
【背景技術】
【０００２】
従来より、複数の垂直部材の間に水平部材が架設されてなるメガフレームと、各階の床を構成する梁床部材と、各階の梁床部材の間及び最上階の梁床部材とメガフレームとの間を連結する吊柱とにより構成された吊構造建物が構築されている。
【０００３】
このような吊構造建物の構築方法として、例えば、特許文献１には、メガフレームを構築した後、地上において各階の梁床部材を積層した状態で成形し、これらの梁床部材をロッドにより連結し、水平部材の上に設置された昇降装置によりロッドを引き上げ、ロッドの上端をメガフレームを構成する水平部材に固定することにより、吊構造建物を構築する方法が記載されている。
【特許文献１】特許２７１７１４２号公報
【発明の開示】
【発明が解決しようとする課題】
【０００４】
しかしながら、上記の方法では、全ての梁床部材をロッドにより連結した状態で吊上げ作業を行うため、一度吊上げ作業を開始してしまうと、梁床部材が傾きを調整したり、梁床部材の高さを微調整したりすることができない。このため、梁床部材の傾きの調整や高さの微調整を行うためには、吊上げ作業を中止し、全ての梁床部材を地上に下ろして、ロッドを付け替え、再び吊上げ作業を行わなければならない。
【０００５】
本発明は、上記の問題に鑑みなされたものであり、その目的は、吊上げ作業中でも容易に梁床部材の傾きの調整や高さの微調整を行うことのできる吊構造建物の構築方法を提供することである。
【課題を解決するための手段】
【０００６】
本発明の吊構造建物の構築方法は、所定の階数範囲の各階の梁部材、梁床部材又は床部材（以下、梁部材等という）が、所定の高さに支持された主ビームから、当該梁部材等と同じ階及びこれより上階の吊柱を介して吊下された構成を有する吊構造建物を構築する方法であって、前記主ビームを所定の高さに支持されるように構築又は設置する主ビーム構築工程と、前記所定の階数範囲の最上階の梁部材等及び吊柱を地組する最上階地組工程と、昇降装置により、前記主ビームに反力を取りながら、前記地組した最上階の梁部材等及び吊柱を所定の高さまで上昇させる最上階上昇工程と、前記最上階の吊柱を前記主ビームに下方より接続する最上階梁部材等吊下工程と、を行い、前記所定の階数範囲における最上階を除く少なくとも一部の階を上階から下階の順序で作業対象階として、前記作業対象階の梁部材等及び吊柱を地組する梁部材等地組工程と、昇降装置により、前記主ビームに反力をとりながら、前記作業対象階の梁部材等及び吊柱を所定の高さまで上昇させる上昇工程と、前記作業対象階の吊柱を、前記作業対象階の直上の階の梁部材等に下方より接続する梁部材等吊下工程と、を行うことを特徴とする。
なお、前記少なくとも一部の階以外の階については、本発明の方法に限らず、適宜な方法により構築すればよい。
【０００７】
ここで、前記主ビームは、前記梁部材等の周囲に立設された支持部材により所定の高さに支持されており、前記所定の階数範囲内の各階の前記梁部材等と前記支持部材とは、連結部材を介して接続されており、前記梁部材等吊下工程では、さらに、前記作業対象階の梁部材等を前記連結部材を介して前記支持部材と接続してもよい。
【０００８】
また、前記昇降装置は、前記作業対象階の梁部材等に下端が定着された吊り材と、前記主ビームに取り付けられ、前記吊り材の上部を支持するとともに前記吊り材を昇降させることが可能な昇降機構と、で構成され、前記上昇工程では、前記昇降機構が前記吊り材を上昇させることにより、前記作業対象階の梁部材等を上昇させてもよい。
【０００９】
また、前記昇降装置は、前記主ビームに上端が定着された吊り材と、前記作業対象階の梁部材等の下側に取り付けられ、前記吊り材を支持するとともに、前記吊り材に沿って昇降可能な昇降機構と、で構成され、前記上昇工程では、前記昇降機構が前記吊り材に沿って上昇することにより、前記作業対象階の梁部材等を上昇させてもよい。
【００１０】
また、前記梁部材等は、前記吊柱の接続された位置以外の部位に鉛直方向に並ぶように貫通孔が設けられており、前記昇降装置は、前記吊り材が前記貫通孔を挿通するように設置されてもよい。
【００１１】
また、前記吊柱は内部に前記吊り材を挿通可能であり、前記梁部材等の前記吊柱が接続された部位には貫通孔が設けられており、前記昇降装置は、前記吊り材が前記吊柱の内部及び前記梁部材等の貫通孔を貫通するように設置されてもよい。
また、本発明の吊構造建物は、上記の方法により構築されたことを特徴とする。
【発明の効果】
【００１２】
本発明によれば、各階の梁床部材と吊柱とを地組し、梁床部材昇降装置により各階の梁床部材を吊上げる。このため、吊上げ作業を開始しても、この階の吊柱の長さを調整することにより、全ての梁床部材を地上に下ろすことなく、容易に傾きの調整や階高の微調整を行うことができる。
【発明を実施するための最良の形態】
【００１３】
以下、本発明の吊構造建物の構築方法の一実施形態を図面を参照しながら説明する。
図１は、本実施形態の構築方法により構築された吊構造建物１００の構成を示す正面図である。同図に示すように、本実施形態の吊構造建物１００は、複数の垂直部材（特許請求の範囲における支持部材に相当）２０及びこれらの垂直部材２０の間に架設された水平部材（特許請求の範囲における主ビームに相当）１０からなるメガフレーム３０と、２〜８階の床を構成する床スラブ及び梁が一体となった梁床部材４０と、水平部材１０と最上階（８階）の梁床部材４０の間及び各階の梁床部材４０の間を連結する吊柱５０と、垂直部材２０と各階の梁床部材４０とを連結する連結部材６０と、を備える。
【００１４】
各階の梁床部材４０には、後述するように、梁床部材昇降装置１３０のロッド１３２を貫通することができるように、鉛直方向に直線上に並ぶような開口が設けられている。
【００１５】
連結部材６０としては、梁床部材４０をメガフレーム３０の垂直部材２０に対して剛に接続できるように、剛性部材を用いる構成としてもよいし、ばね部材やダンパーなどを用いる構成としてもよい。
【００１６】
以下、このような吊構造建物１００の構築方法を説明する。図２〜図４は、本実施形態の吊構造建物の構築方法を説明するための図である。
図２に示すように、まず、ＳＴＥＰ１において、メガフレーム３０を構成する垂直部材２０を構築し、この垂直部材２０の上部に反力をとるように鋼製の節つきのロッド１１２及びジャッキ１１１からなる水平部材昇降装置１１０を設置する。すなわち、垂直部材２０の上端にジャッキ１１１を設置し、このジャッキ１１１にロッド１１２の上部を取付ける。なお、このようなジャッキ１１１としては、例えば、ロッド１１２に沿って昇降可能なシャックル付きのジャッキ（例えば、ＪＦＥシビル株式会社製）などが適している。また、ロッド１１２に代えて、鋼線や鋼材などを用いることもできる。なお、垂直部材２０は、予め構築されたものを搬入し、設置してもよい。
【００１７】
次に、ＳＴＥＰ２において、地上に設置されたベント１４０上で、メガフレーム３０を構成する水平部材１０を構築する。そして、ジャッキ１１１より下方に延びるロッド１１２の下部に、定着部１１３により水平部材１０を定着させる。なお、水平部材１０は、予め構築されたものを搬入してもよい。
次に、ＳＴＥＰ３において、水平部材１０を水平部材昇降装置１１０により吊上げ、水平部材１０を垂直部材２０と接続する。
次に、ＳＴＥＰ４において、水平部材昇降装置１１０を解体し、撤去する。
【００１８】
次に、ＳＴＥＰ５において、地上に設置されたベント１４０上で、８階の梁床部材４０及び吊柱５０を地組する。
そして、ジャッキ１３１と、ロッド１３２とで構成された梁床部材昇降装置（特許請求の範囲における昇降装置に相当）１３０を、水平部材１０に反力をとりながら、８階の梁床部材４０を昇降可能なように設置する。すなわち、ロッド１３２を８階の梁床部材４０の開口を挿通させ、ロッド１３２の下端を定着部１３３により８階の梁床部材４０に定着させる。そして、ロッド１３２の上端部に水平部材１０に反力をとることができるようにジャッキ１３１を取り付ける。なお、水平部材昇降装置１１０と同様に、このようなジャッキ１３１としては、例えば、ロッド１３２に沿って昇降可能なシャックル付きのジャッキなどが適している。また、ロッド１３２に代えて、鋼線や鋼材などを用いることもできる。
【００１９】
次に、ＳＴＥＰ６において、梁床部材昇降装置１３０により、地組した８階の吊柱５０及び梁床部材４０を、吊柱５０の上端が水平部材１０の下面と当接する高さまで吊上げる。
次に、図３に示すように、ＳＴＥＰ７において、８階の吊柱５０の上端を水平部材１０に接続する。また、８階の梁床部材４０と垂直部材２０とを連結部材６０により接続する。
次に、ＳＴＥＰ８において、梁床部材昇降装置１３０の定着部１３３を８階の梁床部材より取り外す。そして、ジャッキ１３１により、ロッド１３２を、下端がベント１４０の上面高さまで到達するまで、繰り出す。
【００２０】
次に、ＳＴＥＰ９において、地上に設置されたベント１４０上で、７階の梁床部材４０及び吊柱５０を地組する。そして、ロッド１３２を７階の梁床部材４０の開口を挿通させ、定着部１３３によりロッド１３２の下端を７階の梁床部材４０に定着させる。
次に、ＳＴＥＰ１０において、梁床部材昇降装置１３０により、地組した７階の吊柱５０及び梁床部材４０を、８階の吊柱５０の上端が８階の梁床部材と当接する高さまで吊上げる。
【００２１】
次に、ＳＴＥＰ１１において、７階の吊柱５０の上端を８階の梁床部材４０に下方より接続する。また、７階の梁床部材４０と垂直部材２０とを連結部材６０により接続する。
次に、ＳＴＥＰ１２において、梁床部材昇降装置１３０の定着部１３３を７階の梁床部材より取り外す。そして、ジャッキ１３１により、ロッド１３２を繰り出し、ロッド１３２の下端をベント１４０の上面高さまで到達させる。
【００２２】
次に、上記のＳＴＥＰ９〜１２の工程を６階から２階に対しても行う。これにより、図４のＳＴＥＰ１３に示すように、２〜８階の梁床部材４０が水平部材１０より吊持された状態となる。
次に、ＳＴＥＰ１４において、梁床部材昇降装置１３０を解体し、撤去する。
以上の工程により吊構造建物１００を構築することができる。
【００２３】
以上説明したように、本実施形態の吊構造建物の構築方法によれば、各階の梁床部材４０と吊柱５０とを地組し、梁床部材昇降装置１３０により吊上げている。このため、梁床部材４０が傾いている場合や、階高を微調整する必要がある場合には、その階の吊柱５０の長さを調整することにより、全ての梁床部材４０を地上に下ろすことなく、容易に傾きの調整や階高の微調整を行うことができる。
【００２４】
なお、本実施形態では、梁床部材昇降装置１３０を、ロッド１３２の下端部を定着部１３３により最下階の梁床部材４０に定着し、ロッド１３２の上端部にジャッキ１３１を水平部材１０上に反力を取ることができるように設置する構成としたが、これに限らず、ロッド１３２の上部を定着部１３３により水平部材１０に定着させ、ジャッキ１３１をロッド１３２の最下階の梁床部材４０の下面より突出した部分に、最下階の梁床部材４０を下方から支持するように設置する構成としてもよい。
【００２５】
また、本実施形態では、梁床部材昇降装置１３０のロッド１３２を梁床部材４０の吊柱５０と異なる位置に設けた開口を挿通させる構成としたが、これに限らず、例えば、吊柱５０を図５に示すような、長さ方向に複数に分割された鋼管１５２により構成し、梁床部材４０の吊柱５０との接続部に開口を設けることにより、ロッド１３２を、梁床部材４０の開口及び仮設の吊柱１２０の内部に挿通させる構成としてもよい。
【００２６】
また、上記各実施形態では、梁床部材４０と垂直部材２０の間に連結部材６０が介装された構成の吊構造建物１００を構築する場合についえて説明したが、これに限らず、連結部材６０を省略することも可能であり、この場合には、連結部材６０を取付ける工程が不要となる。
【００２７】
また、本実施形態では、各階の梁と床が一体となった梁床部材４０が吊持された吊構造建物１００を構築する場合について説明したが、これに限らず、梁と床が別体である梁部材又は床部材のみが吊持された吊構造建物に対しても本発明を適用することができる。
また、本実施形態では、吊柱５０により吊持された全ての階の梁床部材４０を本発明の方法により構築する場合について説明したが、これに限らず、一部の階を本発明の方法により構築することも可能である。
【図面の簡単な説明】
【００２８】
【図１】本実施形態の構築方法により構築された吊構造建物の構成を示す正面図である。
【図２】本実施形態の吊構造建物の構築方法を説明するための図（その１）である。
【図３】本実施形態の吊構造建物の構築方法を説明するための図（その２）である。
【図４】本実施形態の吊構造建物の構築方法を説明するための図（その３）である。
【図５】吊柱を構成する長さ方向に複数に分割された鋼管を示す図である。
【符号の説明】
【００２９】
１０  水平部材
２０  垂直部材
３０  メガフレーム
４０  梁床部材
５０  （本設の）吊柱
６０  連結部材
１００  吊構造建物
１１０  水平部材昇降装置
１１１  ジャッキ
１１２  ロッド
１１３  定着部
１３０  梁床部材昇降装置
１３１  ジャッキ
１３２  ロッド
１３３  定着部
１５２  分割された鋼管
【図５】
2008280677.tif 000003
【図１】
2008280677.tif 000004
【図２】
2008280677.tif 000005
【図３】
2008280677.tif 000006
【図４】
2008280677.tif 000007